(57)【要約】【課題】下肢の裏側を広範囲に亘って満遍なくマッサージを行うことができるようにすると共に、マッサージ効果をより向上させる。【解決手段】対向配置された一対のマッサージ部材６０を、近接離反させることで左右一対のマッサージ部材６０で下肢の側部を挟んでマッサージする下肢用マッサージ機において、マッサージ部材６０間に、ローリング部材６７を移動させることによって下肢の裏側をマッサージするローラマッサージ機構１０を設け、各マッサージ部材６０には、一対のマッサージ部材６０が互いに近接したときに、下肢の表側をマッサージすると共に、該下肢をローリング部材６７に向けて押す押圧体６１を設けている。【選択図】図１０
2006296567.tif 000002
【特許請求の範囲】
【請求項１】
対向配置された一対のマッサージ部材を、近接離反させることで該一対のマッサージ部材で下肢の側部を挟んでマッサージする下肢用マッサージ機において、
前記マッサージ部材間には、ローリング部材を移動させることによって下肢の裏側をマッサージするローラマッサージ機構が設けられ、
前記各マッサージ部材には、前記一対のマッサージ部材が互いに近接したときに、前記下肢の表側をマッサージすると共に該下肢をローリング部材に向けて押す押圧体が設けられていることを特徴とする下肢用マッサージ機。
【請求項２】
脹ら脛をマッサージするレッグマッサージ装置と、足をマッサージするフットマッサージ装置とを有し、
前記フットマッサージ装置は、対向配置された一対の足マッサージ部材を、近接離反させることで前記足の側部を挟み込んでマッサージする足側部マッサージ機構と、
前記一対の足マッサージ部材間に配置されたローリング部材を、前記近接離反方向と直交する方向に移動させて足の裏側をマッサージする足ローラマッサージ機構と、
前記足側部マッサージ機構及び足ローラマッサージ機構を駆動するフットマッサージ駆動機構とを備え、
前記各足マッサージ部材には、該各足マッサージ部材が互いに近接したときに、足の表側をマッサージすると共に足を足ローラマッサージ機構のローリング部材に向けて押す押圧体が設けられていることを特徴とする下肢用マッサージ機。
【請求項３】
前記レッグマッサージ装置は、対向配置された一対の脹ら脛マッサージ部材を、近接離反させることで脹ら脛の側部を挟み込んでマッサージする脹ら脛側部マッサージ機構と、
前記一対の脹ら脛側部マッサージ部材間に配置されたローリング部材を、前記近接離反方向と直交する方向に移動させて脹ら脛の裏側をマッサージする脹ら脛ローラマッサージ機構と、
前記脹ら脛側部マッサージ機構及び脹ら脛ローラマッサージ機構を駆動するレッグマッサージ駆動機構とを備え、
前記各脹ら脛マッサージ部材には、該各脹ら脛マッサージ部材が互いに近接したときに、脹ら脛の表側をマッサージすると共に脹ら脛を脹ら脛ローラマッサージ機構のローリング部材に向けて押す押圧体が設けられていることを特徴とする請求項２に記載の下肢用マッサージ機。
【請求項４】
フットマッサージ駆動機構とレッグマッサージ駆動機構とは同一駆動機構から構成されていることを特徴とする請求項３に記載の下肢用マッサージ機。
【請求項５】
前記足ローラマッサージ機構のローリング部材は、足マッサージ部材の前部から後部に向けて移動すると共に、脹ら脛ローラマッサージ機構のローリング部材は脹ら脛マッサージ部材の下部から上部に向けて移動することを特徴とする請求項３又は４に記載の下肢用マッサージ機。
【請求項６】
前記足ローラマッサージ機構のローリング部材は、足マッサージ部材の前部から後部の範囲に亘って前後方向に移動することを特徴とする請求項２〜５のいずれかに記載の下肢用マッサージ機。
【請求項７】
前記ローラマッサージ機構は、マッサージ部材の両端側に配置された一対のスプロケットと、この各スプロケットに巻き付けられたチェーンと、このチェーンに取り付けられた複数のローリング部材と、前記スプロケットを回転させるための回転軸とを有していることを特徴とする請求項１〜６のいずれかに記載の下肢用マッサージ機。
【発明の詳細な説明】
【技術分野】
【０００１】
本発明は、例えば、脹ら脛や足をマッサージする下肢用マッサージ機に関する。
【背景技術】
【０００２】
対向配置された一対のマッサージ部材を、近接離反させることで該一対のマッサージ部材で下肢の側部を挟んでマッサージする下肢用マッサージ機として特許文献１に開示されているものがある。
下肢用マッサージ機は、前記下肢の一部である脹ら脛や足の側部をマッサージできるものである。マッサージをする際には、脹ら脛や足を前記一対のマッサージ部材間に配置し、この状態で前記マッサージ部材を近接離反させることによって、マッサージ部材で脹ら脛の側部や足の側部を挟んでマッサージを行うようにしていた。
【０００３】
前記下肢用マッサージ機は、脹ら脛や足の裏側をもマッサージできるもので、一対のマッサージ部材間に配置された底マッサージ部材の揺動支点を中心として該底マッサージ部材を上下に揺動させることで、脹ら脛や足の裏側をマッサージするものであった。
【特許文献１】特開２００３−６６５号公報
【発明の開示】
【発明が解決しようとする課題】
【０００４】
従来の下肢用マッサージ機では、脹ら脛や足の裏側をマッサージできるようにしていたが、前記揺動支点に近傍の部分はマッサージ力が弱く、揺動支点から遠く離れた部分はマッサージ力が強いといった、マッサージ力のバラツキが発生し、脹ら脛や足の裏側を広範囲に亘って満遍なくマッサージを行うには限界があった。
そこで、本発明は、上記問題点に鑑み、下肢の裏側を広範囲に亘って満遍なくマッサージを行うことができると共に、マッサージ効果をより向上させた下肢用マッサージ機を提供することを目的とする。
【課題を解決するための手段】
【０００５】
前記目的を達成するため、本発明においては以下の技術的手段を講じた。即ち、対向配置された一対のマッサージ部材を、近接離反させることで該一対のマッサージ部材で下肢の側部を挟んでマッサージする下肢用マッサージ機において、前記マッサージ部材間には、ローリング部材を移動させることによって下肢の裏側をマッサージするローラマッサージ機構が設けられ、前記各マッサージ部材には、前記一対のマッサージ部材が互いに近接したときに、前記下肢の表側をマッサージすると共に該下肢をローリング部材に向けて押す押圧体が設けられている点にある。
【０００６】
これによれば、マッサージ部材間に下肢を配置すると共に、下肢の裏側をローリング機構のローリング部材に当接し、この状態でマッサージ部材を近接離反させてローリング部材を下肢の裏側に沿って移動させれば、下肢の側部はマッサージ部材の挟み込みによってマッサージされると共に、下肢の裏側はローリング部材の移動による押圧によって移動した部分が満遍なくマッサージされる。また、マッサージ部材が近接した際には、押圧体が下肢をローリング部材に押すため、下肢の裏側に対するローリング部材の押圧力が増し、下肢の裏側へのマッサージ効果が一層向上する。
【０００７】
本発明の他の手段は、脹ら脛をマッサージするレッグマッサージ装置と、足をマッサージするフットマッサージ装置とを有し、前記フットマッサージ装置は、対向配置された一対の足マッサージ部材を、近接離反させることで前記足の側部を挟み込んでマッサージする足側部マッサージ機構と、前記一対の足マッサージ部材間に配置されたローリング部材を、前記近接離反方向と直交する方向に移動させて足の裏側をマッサージする足ローラマッサージ機構と、前記足側部マッサージ機構及び足ローラマッサージ機構を駆動するフットマッサージ駆動機構とを備え、前記各足マッサージ部材には、該各足マッサージ部材が互いに近接したときに、足の表側をマッサージすると共に足を足ローラマッサージ機構のローリング部材に向けて押す押圧体が設けられている点にある。
【０００８】
これによれば、足マッサージ部材間に足を配置すると共に、足の裏側をローリング機構のローリング部材に当接し、この状態で足マッサージ部材を近接離反させてローリング部材を足の裏側に沿って移動させれば、足の側部は足マッサージ部材の挟み込みによってマッサージされると共に、足の裏側はローリング部材の移動による押圧によって移動した部分が満遍なくマッサージされる。また、足マッサージ部材が近接した際には、押圧体が足をローリング部材に押すため、足の裏側に対するローリング部材の押圧力が増し、足の裏側へのマッサージ効果が一層向上する。
【０００９】
前記レッグマッサージ装置は、対向配置された一対の脹ら脛マッサージ部材を、近接離反させることで脹ら脛の側部を挟み込んでマッサージする脹ら脛側部マッサージ機構と、前記一対の脹ら脛側部マッサージ部材間に配置されたローリング部材を、前記近接離反方向と直交する方向に移動させて脹ら脛の裏側をマッサージする脹ら脛ローラマッサージ機構と、前記脹ら脛側部マッサージ機構及び脹ら脛ローラマッサージ機構を駆動するレッグマッサージ駆動機構とを備え、前記各脹ら脛マッサージ部材には、該各脹ら脛マッサージ部材が互いに近接したときに、脹ら脛の表側をマッサージすると共に脹ら脛を脹ら脛ローラマッサージ機構のローリング部材に向けて押す押圧体が設けられている点にある。
【００１０】
これによれば、脹ら脛マッサージ部材間に足を配置すると共に、脹ら脛の裏側をローリング機構のローリング部材に当接し、この状態で脹ら脛マッサージ部材を近接離反させてローリング部材を脹ら脛の裏側に沿って移動させれば、脹ら脛の側部は脹ら脛マッサージ部材の挟み込みによってマッサージされると共に、脹ら脛の裏側はローリング部材の移動による押圧によって移動した部分が満遍なくマッサージされる。また、脹ら脛マッサージ部材が近接した際には、押圧体が脹ら脛をローリング部材に押すため、脹ら脛の裏側に対するローリング部材の押圧力が増し、足の裏側へのマッサージ効果が一層向上する。
【００１１】
前記フットマッサージ駆動機構とレッグマッサージ駆動機構とは同一駆動機構から構成されていることが好ましい。
これによれば、駆動機構を同一にしたので、下肢用マッサージ機のコンパクトがコンパクトになり安価に製造できる。
前記足ローラマッサージ機構のローリング部材は、足マッサージ部材の前部から後部に向けて移動すると共に、脹ら脛ローラマッサージ機構のローリング部材は脹ら脛マッサージ部材の下部から上部に向けて移動することが好ましい。
【００１２】
これによれば、ローリング部材によって足裏の足先から踝にかけて、脹ら脛の裏側の下側から上側にかけてマッサージすることが可能となり、下肢の血流効果を一層高めることができる。
前記足ローラマッサージ機構のローリング部材は、足マッサージ部材の前部から後部の範囲に亘って前後方向に移動することが好ましい。
これによれば、ローリング部材によって足裏の足先から踝にかけての広範囲に亘って満遍なくマッサージすることができる。
【００１３】
前記ローラマッサージ機構は、マッサージ部材の両端側に配置された一対のスプロケットと、この各スプロケットに巻き付けられたチェーンと、このチェーンに取り付けられた複数のローリング部材と、を有していることが好ましい。
【発明の効果】
【００１４】
下肢の裏側を広範囲に亘って満遍なくマッサージを行うことができ且つ、マッサージ効果も向上する。
【発明を実施するための最良の形態】
【００１５】
以下、本発明の実施の形態を図面を参照して説明する。
図１〜１０は本発明の下肢用マッサージ機を示している。図１に示すように、本実施形態の下肢用マッサージ機１は、下肢をマッサージするためのもので、左右の脹ら脛をマッサージするレッグマッサージ装置２と、左右の足をマッサージするフットマッサージ装置３とを有している。
なお、前記下肢とは、人間の脚部のうち膝より下の部分をいう。さらに、下肢を、膝下でくるぶしより上の部分である「脹ら脛」と、くるぶしより下の部分である「足」とに分けて説明をする。
【００１６】
レッグマッサージ装置２の表側には、左右の脹ら脛を挿入する挿入凹部４が設けられており、フットマッサージ装置３の表側には、左右の足を挿入する挿入凹部５が設けられている。レッグマッサージ装置２及びフットマッサージ装置３の挿入凹部４，５は連続的に連なっており、この挿入凹部４，５に足及び脹ら脛を通すことができるように、レッグマッサージ装置２とフットマッサージ装置３とは一体的に形成されている。
図２に示すように、レッグマッサージ装置２は、前記挿入凹部４に挿入された脹ら脛の左右側部をマッサージする脹ら脛側部マッサージ機構６と、脹ら脛の裏側をマッサージする脹ら脛ローラマッサージ機構７と、脹ら脛側部マッサージ機構６及び脹ら脛ローラマッサージ機構７を駆動するレッグマッサージ駆動機構８とを備えている。
【００１７】
また、フットマッサージ装置３は、足の左右側部をマッサージする足側部マッサージ機構９と、足裏をマッサージする足ローラマッサージ機構１０と、足側部マッサージ機構９及び足ローラマッサージ機構１０を駆動するフットマッサージ駆動機構１１とを備えている。
各下肢用マッサージ機構６，７，９，１０及び各駆動機構８，１１は、図１に示すように、ケーシング１３内に納められている。
ケーシング１３は、上部が開放されて各下肢用マッサージ機構６，７，９，１０および各駆動機構８，１１を支持する支持体１４と、その支持体１４の側部に装着された側部カバー１５と、この支持体１４の上側から支持体１４に被さる蓋体１６とから構成されている。
【００１８】
図１〜４に示すように、支持体１４は、床面などの載置面に載置されるベース部材２３と、このベース部材２３の後部側から起立した背壁部材２４とを樹脂等により一体的に形成することで構成され、側面視で略Ｌ字状になっている。支持体１４（ベース部材２３）の前側には支持体１４の角度を変えるためのスタンド２１が設けられている。
側部カバー１５は、樹脂等により側面視で略Ｌ字状に形成されており、その下側をベース部材２３の左右側部に固定すると共に、後部側を背壁部材２４の左右側部に固定することで、支持体１４に装着されている。
【００１９】
蓋体１６は、側部カバー１５の上端縁に沿って樹脂等により形成されたもので、この蓋体１６の下側を側部カバー１５の上端縁及び支持体１４の背壁部材２４の上端に装着することによって蓋体１６は支持体１４の上側を覆うものとなっている。蓋体１６のその正面側に左右一対の開口部１９が設けられている。
蓋体１６の開口部１９を、伸縮性の高いレザー，スポンジ等で形成されたカバーシートで覆うことによって挿入凹部４，５が形成されている。なお、カバーシートの周縁と開口部１９の周縁には、ファスナー２０が設けられ、これによってカバーシートは蓋体１６に対して着脱自在とされて交換が容易に行えるようになっている。
【００２０】
以下、各下肢用マッサージ機構６，７，９，１０及び各駆動機構８，１１について詳しく説明をする。
脹ら脛側部マッサージ機構６及び脹ら脛ローラマッサージ機構７は、支持体１４の背壁部材２４に取り付けられ、足側部マッサージ機構９及び足ローラマッサージ機構１０は、支持体１４のベース部材２３に取り付けられている。
図２〜５に示すように、脹ら脛側部マッサージ機構６は、対向配置された左右一対の脹ら脛マッサージ部材２７と、背壁部材２４に回転自在に固定された回転軸２８ａと、この回転軸２８ａに固定されると共に脹ら脛マッサージ部材２７が相対回転自在に嵌合する回転体２９と、この回転体２９に対して脹ら脛マッサージ部材２７の共回りを規制する規制手段３０とを有している。
【００２１】
脹ら脛マッサージ部材２７は、レッグマッサージ装置２の挿入凹部４の対向面側に配置されていて、脹ら脛を挟み込みできるように左右方向に離れて配置されている。脹ら脛マッサージ部材２７は、レッグマッサージ装置２に一対ずつ設けられている。
脹ら脛マッサージ部材２７は、上下方向に長い板材により構成されている。脹ら脛マッサージ部材２７は、プラスチックや板バネ等からなる弾性体により構成されており、左右方向すなわち、脹ら脛から離れる方向に弾性変形可能となっている。
脹ら脛マッサージ部材２７の前側には、対向する脹ら脛マッサージ部材２７に向けて突出する押圧体３１が設けられている。即ち、押圧体３１は脹ら脛マッサージ部材２７の対向方向内面（以下、内面という）からこれに向き合う他方の脹ら脛マッサージ部材２７に向けて突出するもので、押圧体３１は脹ら脛マッサージ部材２７の上下幅（長手方向）の略全幅に亘っている。
【００２２】
具体的には、押圧体３１は、弾性変形自在な材料、例えば、ゴムやスポンジ等で側面視で長方形状に形成されていて、その長手方向が上下に向くように脹ら脛マッサージ部材２７に装着されている。押圧体３１は、前部から後部にいくにしたがってその厚み（脹ら脛マッサージ部材２７の内面から突出する割合）が徐々に小さくなっている。即ち、押圧体３１は、前部から後部にいくにしたがって徐々に脹ら脛マッサージ部材２７の内面に近づく傾斜面３１ａを有するものとなっている。
回転軸２８ａは、背壁部材２４の左右両端部に設けられた支持ブラケット３２に回転自在に支持されており、この回転軸２８ａに脹ら脛マッサージ部材２７と同等数の前記回転体２９が相対回転不能に固着されている。即ち、回転体２９は、脹ら脛マッサージ部材２７に対応した位置で回転軸２８ａに固定されていて、脹ら脛マッサージ部材２７の後部に形成されたボス部３３に嵌合されている。
【００２３】
具体的には、図７に示すように、回転体２９の周縁面（摺動面）には、回転軸２８ａに対して傾斜する軸心Ａを有する略円形の軌道３４が形成されていて、この軌道３４を摺動するように脹ら脛マッサージ部材２７の前記ボス部３３が回転体２９に相対回転自在に嵌合している。
詳しくは、左右一対の脹ら脛マッサージ部材２７に対応して回転軸２８ａに設けられた回転体２９の外周面には、軌道３４に沿ってベアリング３５のインナーレースが嵌め込まれ、回転体２９には、ベアリング３５を抜け止めし且つ固定する固定部材３６が設けられている。ベアリング３５のアウターレースはリング形状をしたボス部３３の内周側に嵌め込まれ、このベアリング３５を介して、脹ら脛マッサージ部材２７が軌道３４上を摺動するようになっている。
【００２４】
なお、左右一対の回転体２９の軌道３４の傾斜方向が互いに逆向きとなるように、回転体２９は回転軸２８ａに固定されている。また、脹ら脛マッサージ部材２７のボス部３３の外側面には、ベアリング３５の抜け落ちを防止して固定するリング形状の押さえ部材３７が取り付けられている。
前記押さえ部材３７の略下部には、係合部材３８を取り付ける係合部材取付部３９がボス部３３に一体に成形され、棒状の係合部材３８がボス部３３から下方に突出するように固定されている。係合部材３８の略下方の支持体１４の背壁部材２４には、係合部材３８が係合する規制部材４０が設けられている。
【００２５】
規制部材４０には、係合部材３８が摺動自在に嵌り込む摺動溝４１が設けられている。この摺動溝４１は、左右方向に延設されており、脹ら脛マッサージ部材２７を左右方向に案内すると共に、係合部材３８と係合して脹ら脛マッサージ部材２７が回転体２９と供回りするのを規制している。
即ち、係合部材３８と、摺動溝４１を有する規制部材４０とにより規制手段３０が構成されていて、回転軸２８ａを介して回転体２９を回転させることによって、各脹ら脛マッサージ部材２７を近接離反させることができるようになっている。
【００２６】
脹ら脛ローラマッサージ機構７は、前記左右一対の脹ら脛マッサージ部材２７間に設けられている。
図５，６に示すように、脹ら脛ローラマッサージ機構７は、上下に離間して配置された上下一対のスプロケット４５と、各スプロケット４５に巻き付けられたチェーン４６と、チェーン４６に取り付けられた複数のローリング部材４７と、スプロケット４５を回転させるための回転軸とを有している。脹ら脛ローラマッサージ機構７は、上下のスプロケット４５の間に配置された中間スプロケット４９を有している。
【００２７】
スプロケット４５を回転させるための前記回転軸は、脹ら脛側部マッサージ機構６の回転軸２８と同じものであり、回転軸２８に中間スプロケット４９が相対回転不能に固定されている。
上側のスプロケット４５ａ（以降、上スプロケット４５ａ）は脹ら脛マッサージ部材２７の上端側に配置され、下側のスプロケット４５ｂ（以降、下スプロケット４５ｂ）は脹ら脛マッサージ部材２７の下端側に配置されている。上下スプロケット４５は、スプロケット固定体５０に回転自在に支持されている。
【００２８】
スプロケット固定体５０は、下スプロケット４５ｂから左右に突出した左右一対の回転軸５１がそれぞれ挿入される左右一対の筒部５２と、各筒部５２の一端（外側端部）を背壁部材２４に固定する第１固定部５３と、各筒部５２の一端（内側端部）を回転軸２８ａで支持すると共に、上スプロケット４５ａを回転自在に支持する第２固定部５４とを有している。
第１固定部５３は弾性変形自在なスプリングで構成され、第２固定部５４は平板部材で構成されていている。そして、スプリング５３の一端を各筒部５２の外側端部に取り付け、スプリング５３の他端を背壁部材２４に取り付け、平板部材５４の下側を各筒部５２の内側端部に取り付け、平板部材５４の前後中途部を回転軸２８に相対回転自在に取り付け、平板部材５４の上側を上スプロケット４５ａの回転軸５５に相対回転自在に取り付けることによって、上下スプロケット４５は背壁部材２４上で回転自在に支持される。
【００２９】
上下スプロケット４５間にはチェーン４６が巻き付けられ、このチェーン４６に沿って複数のローリング部材４７が装着されている。ローリング部材４７は、大きさの異なる大小のローラで構成されていて、その外径は様々であり、ローリング部材４７（ローラ）はチェーン４６に対して回転できるようになっている。
なお、ローリング部材４７のすべてをチェーン４６に対して回転自在に装着する必要はなく、一部のローリング部材４７がチェーン４６に対して回転するようになっていてもよい。また、ローリング部材４７は、該ローリング部材４７に当接した脹ら脛の裏側をマッサージできる程度の大きさのものであればよく、チェーン４６に取り付けた状態では、チェーン４６の外周面から数ミリ〜数センチ程度（例えば、10mm〜3cm）突出している。
【００３０】
脹ら脛マッサージ部材２７間に脹ら脛ローラマッサージ機構７を設けた状態では、正面視でチェーン４６（ローリング部材４７）と押圧体３１（脹ら脛マッサージ部材２７）とがオーバーラップするオーバラップ範囲Ｌ１があり、押圧体３１の上下長さに対してチェーン４６がオーバラップしている割合は５０％以上に設定されている。図５，６ではチェーン４６の上下端部が押圧体３１の上下端部よりも突出しているので、前記割合は１００％となる。
足側部マッサージ機構９は、対向配置された左右一対の足マッサージ部材６０と、ベース部材２３に回転自在に固定された回転軸２８ｂと、この回転軸２８ｂに固定されると共に足マッサージ部材６０が相対回転自在に嵌合される回転体２９と、この回転体２９に対して足マッサージ部材６０の共回りを規制する規制手段３０とを有している。
【００３１】
なお、下記の説明において、規制手段３０は、上記脹ら脛側部マッサージ機構６と同じ構成であって、これらをベース部材２３に取り付けるようにしたものであるので、同符号を付して説明を省略する。
また、回転体２９は上記脹ら脛側部マッサージ機構６と同じ構成であってこれを足マッサージ部材６０に対応する位置に設けたものであるので、同符号を付して説明を省略する。また、前記回転軸２８ｂは、上記脹ら脛側部マッサージ機構６と同じ構成であってベース部材２３に取り付けるようにしたものであるので説明を省略する。
【００３２】
足マッサージ部材６０は、フットマッサージ装置３の挿入凹部５の対向面側に配置されていて、足の両側を挟み込みできるように左右方向に離れて配置されている。足マッサージ部材６０は、フットマッサージ装置３に一対ずつ設けられている。
足マッサージ部材６０は、前後方向に長い板材により構成されている。足マッサージ部材６０は、プラスチックや板バネ等からなる弾性体により構成されており、左右方向すなわち、足から離れる方向に弾性変形可能となっている。
図２，３，８，９に示すように、足マッサージ部材６０の上側には、対向する足マッサージ部材６０に向けて突出する押圧体６１が設けられている。即ち、押圧体６１は足マッサージ部材６０の対向方向内面からこれに向き合う他方の足マッサージ部材６０に向けて突出するもので、押圧体６１は足マッサージ部材６０の前後幅（長手方向）の略全幅に亘っている。
【００３３】
具体的には、押圧体６１は、足マッサージ部材６０の上部を他方の足マッサージ部材６０に向けて屈曲して突出させた第１突出部６２と、足マッサージ部材６０と別体なもので足マッサージ部材６０の内面側に装着して該内面から他方の足マッサージ部材６０に向けて突出させた第２突出部６３とを有している。
第１突出部６２は、足マッサージ部材６０の上部を略９０度に屈曲して構成したもので、平面視で長手側が前後に延びる略長方形状となっている。第１突出部６２の前後幅は、おおよそ足マッサージ部材６０の前部から中央部に至るまでの範囲となっている。即ち、第１突出部６２の前後幅は、足マッサージ部材６０が足を定位置で挟み込んだとき（足マッサージ部材６０の前端部で足先側を挟む込んだとき）に、第１突出部６２の後側６２ａが足の踝に当たらないように設定されている（例えば、前後幅は12cm）。
【００３４】
第１突出部６２の左右幅は、後述するように足マッサージ部材６０が最も近接したときに左右一対の第１突出部６２で足の表側（甲）を覆うことができる長さに設定されている（例えば、左右幅は4cm）。
第２突出部６３は第１突出部６２の下側に配置されている。また、第２突出部６３は、スポンジやゴムなどの柔らかい素材で形成したもので弾性変形自在となっていて、平面視で長手側が前後に延びる長方形状となっている。第２突出部６３の前後幅は足マッサージ部材６０の前部から後部に至るまでの範囲となっている。
【００３５】
第２突出部６３の上部の左右幅は、上記の第１突出部６２と同様に、後述するように足マッサージ部材６０が最も近接したときに左右一対の第２突出部６３で足の表側（甲）を覆うことができる長さに設定されている（例えば、左右幅は4.5cm）。第２突出部６３の上部の左右幅は第１突出部６２の左右幅よりも大きく設定され、第２突出部６３の内側は、第１突出部６２の内側６２ｂよりも対向側に突出している。
足ローラマッサージ機構１０は、左右一対の足マッサージ部材６０間に設けられている。この足ローラマッサージ機構１０は、前後に離間して配置された前後一対のスプロケット６５と、各スプロケット６５に巻き付けられたチェーン６６と、チェーン６６に取り付けられた複数のローリング部材６７と、スプロケット６５を回転させるための回転軸とを有している。また、この足ローラマッサージ機構１０は、前後のスプロケット６５の間に配置された中間スプロケット６９を有している。
【００３６】
スプロケット６５を回転させるための前記回転軸は、足側部マッサージ機構９の回転軸２８と同じものであり、この回転軸２８に中間スプロケット６９が相対回転不能に固定されている。
前側のスプロケット６５ａ（以降、前スプロケット６５ａ）は、足マッサージ部材６０の前端側に配置され、後側のスプロケット６５ｂ（以降、後スプロケット６５ｂ）は、足マッサージ部材６０の後端側に配置されている。前後スプロケット６５は、スプロケット固定体７０に回転自在に支持されている。
【００３７】
スプロケット固定体７０は、後スプロケット６５ｂから左右に突出した左右一対の回転軸７１がそれぞれ挿入される左右一対の筒部７２と、各筒部７２の一端（外側端部）をベース部材２３に固定する第１固定部７３と、各筒部７２の一端（内側端部）を回転軸２８ｂで支持すると共に、前スプロケット６５ａを回転自在に支持する第２固定部７４とを有している。
第１固定部７３は略Ｌ形のブラケットで構成され、第２固定部７４は平板部材で構成されていている。そして、前記ブラケット７３の一端（上端）を各筒部７２の外側端部に取り付け、ブラケット７３の他端（下端）をベース部材２３に取り付け、平板部材７４の後側を各筒部７２の内側端部に取り付け、平板部材７４の前後中途部を回転軸２８ｂに相対回転自在に取り付け、平板部材７４の前部を前スプロケット６５ａの回転軸７５に相対回転自在に取り付けることによって、前後スプロケット６５はベース部材２３上で回転自在に支持されている。
【００３８】
前後スプロケット６５及び中間スプロケット６９には、チェーン６６が巻き付けられ、このチェーン６６に沿って複数のローリング部材６７が装着されている。ローリング部材６７は、大きさの異なる大小のローラで構成されていて、その外径は様々であり、ローリング部材６７（ローラ）はチェーン６６に対して回転できるようになっている。
なお、ローリング部材６７のすべてをチェーン６６に対して回転自在に装着する必要はなく、一部のローリング部材６７がチェーン６６に対して回転するようになっていてもよい。また、ローリング部材６７は、該ローリング部材６７に当接した足裏をマッサージできる程度の大きさのものであればよく、チェーン６６に取り付けた状態では、チェーン６６の外周面から数ミリ〜数センチ程度（例えば、10mm〜3cm）突出している。
【００３９】
足マッサージ部材６０間に足ローラマッサージ機構１０を設けた状態では、平面視でチェーン６６と押圧体６１とがオーバーラップするオーバラップ範囲Ｌ２があり、押圧体６１の前後長さに対してチェーン６６がオーバラップしている割合は５０％以上に設定されている。図８，９ではチェーン４６が押圧体６１の前後長さに対して約８０％オーバーラップしているので前記割合は８０％となる。
フットマッサージ駆動機構８とレッグマッサージ駆動機構１１とは同一駆動機構から構成されていて、駆動機構８，１１はレッグマッサージ装置２と、フットマッサージ装置３との間に設けられている。
【００４０】
詳しくは、駆動機構８，１１は、左右中央側に位置する足マッサージ部材６０の両者間に設けられていると共に、左右中央側に位置する脹ら脛マッサージ部材２７の両者間に設けられている。
駆動機構８，１１は、正逆回転自在な１つの駆動モータ８０と、この駆動モータ８０の出力軸の前後端部が接続される前後一対のギアボックス８１とを有している。駆動モータ８０は、例えば電動モータにより構成されて、支持体１４の左右方向中央部に配置されている。
【００４１】
前ギアボックス８１ａは、足側部マッサージ機構９（足ローラマッサージ機構１０）の回転軸２８の左右方向中央部に設けられ、後ギアボックス８１ｂは脹ら脛側部マッサージ機構６（脹ら脛ローラマッサージ機構７）の回転軸２８の左右方向中央部に設けられている。
したがって、駆動モータ８０を駆動すると出力軸の動力が前後ギアボックス８０に伝達し、この前後ギアボックス８０を介して回転軸２８が同時に回転をするようになっている。
【００４２】
次に、レッグマッサージ装置２及びフットマッサージ装置３を駆動したときにおける足マッサージ部材６０及び脹ら脛マッサージ部材２７の態様、ローリング部材４７，６７の移動について説明をする。
駆動機構８，９を駆動させてレッグマッサージ装置２及びフットマッサージ装置３の回転軸２８ａ，２８ｂを回転させると、足マッサージ部材６０のボス部３３は傾斜した軌道３４に沿って動き、正面視で見ると、例えば右側のボス部３３は、回転体２９が回転するにつれ、回転軸２８ｂに対し左肩上がり斜め（ボス部３３の上端が下端に比べ外側に位置する）、略垂直、右肩上がり（ボス部３３の下端が上端に比べ内側に位置する）斜めの３つの状態を遷移するように揺動する。フットマッサージ装置３の左側の回転体２９も対称状態で同様に傾動する。
【００４３】
したがって、ボス部３３に突設された足マッサージ部材６０も同様な動きをし、上下方向一端が互いに近接する際には他端が互いに離反し、一端が離反する際には、他端が近接するようなシーソー揺動を行う。また、平面視で見ると、ボス部３３は回転軸２８ｂに対して前述のような揺動を行い、且つ、その外周面は軸心方向にも移動する。しかしながら、足マッサージ部材６０は、摺動溝４１により左右方向に揺動するように規制されているため（回転体２９とは供回りしない）、左右方向に互いに遠近揺動（左右遠近往復移動）することになる。
【００４４】
この両者が組み合わさって、足マッサージ部材６０は左右方向の近接及び離反移動しながら互いにうねるように動作（うねり動作）をするようになる。脹ら脛側部マッサージ機構６の脹ら脛マッサージ部材２７は、足マッサージ部材６０と同様な対向うねり動作をする。
その一方で、駆動機構８，１１を駆動させるとレッグマッサージ装置２及びフットマッサージ装置３の回転軸２８ａ，２８ｂは同一方向に回転し、脹ら脛ローラマッサージ機構７及び足ローラマッサージ機構１０のスプロケット４５，６５も同一方向に回転する。
【００４５】
したがって、足ローラマッサージ機構１０のローリング部材６７は、足マッサージ部材６０の前部から後部に向けて移動すると共に、脹ら脛ローラマッサージ機構７のローリング部材４７は脹ら脛マッサージ部材２７の下部から上部に向けて移動することとなる。
以上の下肢用マッサージ機１でマッサージを行うには、使用者が挿入凹部４，５に脹ら脛及び足を挿入し、脹ら脛の裏側を脹ら脛ローラマッサージ機構７のマッサージ面４７ａ（ローリング部材４７）に当接し、足裏を足ローラマッサージ機構１０のマッサージ面６７ａ（ローリング部材６７）に当接する。そして、使用者は、図示しないスイッチを入れて駆動機構８，１１を駆動させる。
【００４６】
図１０に示すように、左右一対の足マッサージ部材６０が互いに近接する（足マッサージ部材６０の前後が互いに近接する）と、足マッサージ部材６０に設けた押圧体６１は互いに近接し、押圧体６１（第２突出部６３）は足の表面側（甲）を押圧すると共に、足を足ローラマッサージ機構１０のマッサージ面６７ａ（ローリング部材６７）に押し付けるようになる。
即ち、押圧体６１は足先側から踝側までの範囲を上側（表側）から押すこととなり、この押圧範囲をマッサージすることができる。このとき、足裏では、ローリング部材６７が足マッサージ部材６０の前部から後部に向けて移動し足裏の足先から踵までの範囲をマッサージしているが、押圧体６１が足をローリング部材４７に向けて押しているので、ローリング部材４７による足側への押圧作用が一層高まるようになる。
【００４７】
なお、足マッサージ部材６０が互いに近接したときは、足側部を左右側から挟み込むので足側部はマッサージされる。
左右一対の脹ら脛マッサージ部材２７が互いに近接する（脹ら脛マッサージ部材２７の上下が互いに近接する）したときは、脹ら脛マッサージ部材２７に設けた押圧体３１も互いに近接して、押圧体３１は脹ら脛の表面側を押圧すると共に、脹ら脛を脹ら脛ローラマッサージ機構７のマッサージ面４７ａ（ローリング部材４７）に押し付ける。
即ち、押圧体３１はその上下幅の分だけ脹ら脛を前側（表側）から押すこととなり、この押圧範囲をマッサージすることができる。このとき、脹ら脛の裏側では、ローリング部材４７が脹ら脛マッサージ部材２７の下部から上部に向けて移動し、脹ら脛の裏側をローリング部材４７でマッサージしているが、押圧体３１が脹ら脛をローリング部材４７に向けて押しているので、ローリング部材４７による足側への押圧作用が一層高まるようになる。
【００４８】
しかも、フットマッサージ装置３にあっては、足マッサージ部材６０に設けた押圧体６１の第２突出部６３が足マッサージ部材６０の前後長さに対して略同じ長さに設定され且つ、ローリング部材６７を足マッサジ部材の前部から後部にかけて移動するようにしているために、押圧体６１の第２突出部６３が足先から踝近くまでの表側を押すことが可能となり、その結果、足裏略全体がマッサージ面に強く押しつられるため、足裏のマッサージ効果が一層高まるようにしている。
さらに、押圧体６１（第２突出部６３）で足を押す際には、第２突出部６３がやわらかい素材で形成しているために、適度な強さで足を押すこととなり、特に踝近くの第２突出部６３は変形し易くなっているので、押圧による踝近傍への強い痛みが発生しないようにしている。
【００４９】
また、足ローラマッサージ機構１０のローリング部材６７を足マッサージ部材６０の前部から後部に向けて移動させ、脹ら脛ローラマッサージ機構７のローリング部材４７を脹ら脛マッサージ部材２７の下部から上部に向けて移動させているために、ローリング部材４７は足先から踝にかけて、脹ら脛の下側から上側にかけて、マッサージすることとなり、下肢の血流効果を一層高めることができるようにしている。
なお、本実施形態にかかる下肢用マッサージ機１は、上記実施の形態に限定されるものではない。上記の実施の形態では、レッグマッサージ装置２と、フットマッサージ装置３とを一体的に有した下肢用マッサージ機１であったが、レッグマッサージ装置２の単体のものやフットマッサージ装置３の単体の下肢用マッサージ機１であってもよい。
【００５０】
また、レッグマッサージ装置２と、フットマッサージ装置３との両方にローラマッサージ機構を設けるようにしていたが、レッグマッサージ装置２及びフットマッサージ装置３のいずれかにローラマッサージ機構を設けるようにしてもよい。このとき、ローラマッサージ機構を設けたマッサージ部材に押圧体を設けるようにすればよい。
さらに、本発明の下肢用マッサージ機１は、「マッサージ部材間に、ローリング部材を移動させることによって下肢の裏側をマッサージするローラマッサージ機構を設け、各マッサージ部材には、左右一対のマッサージ部材が互いに近接したときに、下肢の表側をマッサージすると共に、該下肢をローリング部材に向けて押す押圧体を設けている」ものであればよい。
【図面の簡単な説明】
【００５１】
【図１】下肢用マッサージ機の斜視図である。
【図２】下肢用マッサージ機の内部平面図である。
【図３】下肢用マッサージ機の内部正面図である。
【図４】下肢用マッサージ機の内部側面図である。
【図５】脹ら脛側部マッサージ機構及び脹ら脛ローラマッサージ機構の概略正面図である。
【図６】脹ら脛側部マッサージ機構及び脹ら脛ローラマッサージ機構の概略側面図である。
【図７】マッサージ部材の断面図である。
【図８】足側部マッサージ機構及び足ローラマッサージ機構の概略平面図である。
【図９】足側部マッサージ機構及び足ローラマッサージ機構の概略側面図である。
【図１０】マッサージの説明図である。
【符号の説明】
【００５２】
１    下肢用マッサージ機
２    レッグマッサージ装置
３    フットマッサージ装置
６    脹ら脛側部マッサージ機構
７    脹ら脛ローラマッサージ機構
９    足側部マッサージ機構
１０  足ローラマッサージ機構
２７  脹ら脛マッサージ部材
３１  押圧体
６０  足マッサージ部材
６１  押圧体
４７  ローリング部材
６７  ローリング部材
【図１】
2006296567.tif 000003
【図２】
2006296567.tif 000004
【図３】
2006296567.tif 000005
【図４】
2006296567.tif 000006
【図５】
2006296567.tif 000007
【図６】
2006296567.tif 000008
【図７】
2006296567.tif 000009
【図８】
2006296567.tif 000010
【図９】
2006296567.tif 000011
【図１０】
2006296567.tif 000012